(57)【特許請求の範囲】
【請求項１】
支持軸を備えた辺を有する四角形の枠体と、
この枠体の対向する二辺により前記支持軸と平行に回転可能なように保持された段付円柱形状で、中央大径部が外周面を操作される円柱形のつまみ部となり、その側部の小径の円形軸部の外周面に可動接点が設けられた回転体と、
前記枠体の支持軸を回動可能に支持する支持部を有する絶縁材料製の基体部と、
この基体部に保持されて前記可動接点に弾接触する弾性固定接点からなる回転操作部品部と、
前記枠体の前記支持軸を備えた辺と対向する辺に対応して前記基体部に配設され、前記支持軸を支点とする前記枠体の回動により押圧されて動作する自力復帰型の押圧操作部品部とを備え
前記枠体は、一辺に前記支持軸を備えた対向する二辺が前記回転体の保持部を有する辺で連結されたコの字形体の開口部を、前記回転体の保持部を有する辺で塞いで形成されるとともに、少なくとも一方の保持部を有する辺の外方に、前記可動接点およびこれに弾接触する前記弾性固定接点の周囲を覆うカバーが一体に形成されている押圧・回転操作型電子部品。
【請求項２】
四角形の前記枠体の前記支持軸を備えた辺と対向する辺の端部の突起が前記基体部に設けられた規制孔に係合して、前記支持軸を支点とする前記枠体の回動角度範囲を規制する請求項１に記載の押圧・回転操作型電子部品。
【請求項３】
前記回転体を、大径中空円筒状のつまみ部と中央部を除く側部の外周面に前記可動接点を設けた小径の円形軸部に分割し、前記つまみ部を樹脂形成してその中央孔に前記円形軸部を挿入結合する構成とした請求項１に記載の押圧・回転操作型電子部品。
【請求項４】
前記回転体の前記円形軸部の外周にリング状可動接点およびこれと導通した導電部と絶縁部が所定の角度ピッチで交互に配設された櫛歯状可動接点を設け、前記基体部にそれぞれの前記可動接点に弾接触する複数個の弾性固定接点を配設して、前記回転操作部品部を回転型エンコーダとし、自力復帰型の前記押圧操作部品部を自力復帰型のプッシュスイッチとした請求項１に記載の押圧・回転操作型電子部品。
【請求項５】
自力復帰型の前記プッシュスイッチが、前記基体部の所定位置に設けられたスイッチ固定接点上に弾性金属薄板製の円形ドーム状可動接点を配設したものである請求項４に記載の押圧・回転操作型電子部品。
【請求項６】
前記回転体の前記つまみ部側部の前記円形軸部の外周面に、中心軸線と平行に所定の角度ピッチで凹溝を設けたリング状凹凸部に対し、前記基体部から伸ばされた弾性脚部先端のダボが弾接する節度機構を設けた請求項１に記載の押圧・回転操作型電子部品。
【請求項７】
前記基体部に保持され、前記回転体の前記可動接点に弾接触する前記弾性固定接点およびリング状凹凸部に弾接する前記弾性脚部が、いずれも前記回転体を前記基体部から離す方向に付勢する請求項６に記載の押圧・回転操作型電子部品。
【請求項８】
前記回転体の前記つまみ部と前記円形軸部との段部端面または前記円形軸部に設けた段差部の端面と、前記枠体の前記端面に対向する面の、いずれか一方を所定の角度ピッチで放射状に凹溝を設けた円形凹凸面とし、他方にこの凹凸面に弾接する弾性ダボを有するばね体を配する節度機構を設けた請求項１に記載の押圧・回転操作型電子部品。
【請求項９】
前記基体部に保持された二つの前記弾性固定接点が前記回転体の前記櫛歯状可動接点に弾接触し、その弾接触位置が所定寸法だけずれている請求項４に記載の押圧・回転操作型電子部品。
【請求項１０】
前記回転体の前記つまみ部側部の、一方の前記円形軸部の外周面にリング状凹凸部およびリング状可動接点を設けて、前記基体部に保持された前記弾性脚部先端のダボおよび前記弾性固定接点をそれぞれ弾接および弾接触させ、他方の前記円形軸部の外周面に櫛歯状可動接点を設けて、前記基体部に保持された二つの前記弾性固定接点を弾接触させる請求項９に記載の押圧・回転操作型電子部品。
【請求項１１】
前記回転体の前記リング状凹凸部または前記円形凹凸面に設ける凹溝の角度ピッチを、前記回転体の前記櫛歯状可動接点の導電部および絶縁部を配設する角度ピッチと同じにして、前記基体部から伸ばされた前記弾性脚部先端のダボが前記リング状凹凸部または前記円形凹凸面の凹部内にはまり込んだ時に、前記櫛歯状可動接点に対する前記弾性固定接点の弾接触位置が前記絶縁部にある請求項６に記載の押圧・回転操作型電子部品。
【請求項１２】
前記基体部に保持された複数個の前記弾性固定接点のうち、少なくとも前記回転体の前記櫛歯状可動接点に弾接触する前記弾性固定接点が前記回転体の中心軸線よりも前記枠体の前記支持軸側の位置から伸ばされ、その弾接触位置が前記支持軸を中心とする前記枠体回動時における前記回転体の中心軸の回動円上にある請求項４に記載の押圧・回転操作型電子部品。
【請求項１３】
前記基体部の下面を平板状とし、前記回転操作部品部の前記弾性固定接点および前記押圧操作部品部とそれぞれ導通した複数個の弾性押圧接続端子を前記基体部の下面よりも突出して配設した請求項１〜１２のいずれか一つに記載の押圧・回転操作型電子部品。
【発明の詳細な説明】
【０００１】
【発明の属する技術分野】
本発明は、主としてマウス等のコンピュータ周辺機器、携帯電話等の通信端末機器、車載電装品等に使用され、機器の操作面から突出した円形操作つまみの外周を、接線方向に回転操作および回転中心軸方向に押圧操作することにより操作される押圧・回転操作型電子部品に関するものである。
【０００２】
【従来の技術】
従来のこの種の押圧・回転操作型電子部品としては、図１５の外観斜視図に示すようなプッシュスイッチ付回転型エンコーダが知られている。
【０００３】
このプッシュスイッチ付回転型エンコーダは図１５および図１６の側面断面図に示すように、接点付取付基板１の片側に回転操作部品部としての回転型エンコーダ部２が、そして反対側に押圧操作部品部としてのプッシュスイッチ部３が配置され、回転型エンコーダ部２は一定の範囲で垂直方向（図１５および図１６に示す矢印Ｖ方向）に移動できるように保持され、プッシュスイッチ部３は動かないように固定されている。
【０００４】
そして、接点付取付基板１は、図１７の外観斜視図に示すように、平板状の樹脂体に回転型エンコーダ部２の移動用のガイドレール部４を有する窪み５と、プッシュスイッチ部３を固定するための窪み６および回転型エンコーダ部２の電気信号を外部へ伝達するための端子７をそれぞれ有する三つの接点板８が設けられ、さらに下端の取付面１Ｂには、このプッシュスイッチ付回転型エンコーダを機器の配線基板に装着するための脚部１Ａが設けられている。
【０００５】
回転型エンコーダ部２は、図１６の側面断面図に示すように、接点付取付基板１の窪み５にはめ込まれてガイドレール部４により一定の範囲で垂直方向（矢印Ｖ方向）に動き得るように保持された樹脂製のスライド接点体９にインサート成形により固定された三つの弾性接点脚１０に対して、円形の操作つまみ１２の内面に取り付けられた樹脂製の回転体１４に保持された放射状可動接点板１３が接触し、回転可能なように円柱軸１５により保持されて構成されている。
【０００６】
そして、スライド接点体９から上記の三つの弾性接点脚１０のそれぞれと導通した三つの弾性接点脚１１が反対方向に突出して、回転型エンコーダ部２で発生した電気信号を端子７へ伝達するようになっている。
【０００７】
さらに、スライド接点体９の下方端部に装着された板ばね１６が、接点付取付基板１のピン状突起１７（図１７参照）に弾接することにより、通常状態において、回転型エンコーダ部２がプッシュスイッチ部３から離れた位置にあるように付勢している。
【０００８】
プッシュスイッチ部３は、図１６に示すように、その操作ボタン１８が回転型エンコーダ部２の円柱軸１５の押圧部１５Ａに当接するように、接点付取付基板１の回転型エンコーダ部２とは反対側の面の窪み６にはめ込まれて固定され、その電気信号を外部へ伝達するための端子１９が下方へ突出している。
【０００９】
このプッシュスイッチ付回転型エンコーダは以上のように構成されたものであるが、使用機器に装着される場合には、図１８の部分断面の側面図に示すように、接点付取付基板１下端の取付面１Ｂの脚部１Ａおよび回転型エンコーダ部２の端子７、プッシュスイッチ部３の端子１９を機器の配線基板２０の取付孔２１，２２に挿入・半田付けすることによって装着され、円形の操作つまみ１２の外周部１２Ａが操作部として機器の上ケースの操作面２３から突出するように取り付けられるものであった。
【００１０】
このように構成された従来のプッシュスイッチ付回転型エンコーダの動作は、まず、円形の操作つまみ１２の外周部１２Ａに接点方向（図１５に示す矢印Ｈ方向）の力を加えて操作つまみ１２を回転させることにより、回転体１４が円柱軸１５を中心として回転し、これに保持された放射状可動接点板１３のリング状接点部１３Ａおよび櫛歯状接点部１３Ｂ（図１９の接点部の平面図参照）上をスライド接点体９に固定されたコモン弾性接点脚と二つの信号用弾性接点脚からなる三つの弾性接点脚１０が弾接触しながら摺動して回転型エンコーダ部２としての電気信号を発生し、この電気信号が弾性接点脚１０から反対方向の三つの弾性接点脚１１を経由して接点付取付基板１上の接点板８に伝わり、外部接続用の端子７を経て機器の配線基板２０の回路に伝達されるものである。
【００１１】
また、回転型エンコーダ部２を押し上げている板ばね１６の付勢力に逆らって円形の操作つまみ１２の外周部１２Ａに回転軸中心方向（図１６および図１８に示す矢印Ｖ１方向）の押し力を加えて回転型エンコーダ部２全体を接点付取付基板１のガイドレール部４に沿って動かし、円柱軸１５の押圧部１５Ａで操作ボタン１８を押してプッシュスイッチ部３を動作させると、その電気信号は端子１９を経て機器の配線基板２０の回路に伝達され、この後、操作つまみ１２に加えていた押し力を除くと、板ばね１６の弾性復元力によって回転型エンコーダ部２が押し戻されて、元の状態に復帰するように構成されたものであった。
【００１２】
【発明が解決しようとする課題】
しかしながら上記従来の押圧・回転操作型電子部品においては、回転操作部品部である回転型エンコーダ部２の電気信号を発生するための放射状可動接点板１３は、リング状接点部１３Ａの外側に櫛歯状接点部１３Ｂが放射状に配置されたものであるため直径が大きく、したがって回転体１４の外径も大きい。
【００１３】
そして、これを操作する円形の操作つまみ１２はさらに大きくしなければならず、また、使用機器に装着する場合、接点付取付基板１が上ケースの操作面２３から出ないようにしなければならないと共に、配線基板２０に取り付ける接点付取付基板１の取付面１Ｂの位置は操作つまみ１２の外周よりも低くなっているため、機器の操作面２３から配線基板２０までの間を広くしなければならず、したがって、機器のケースの高さ寸法が大きくなってしまうという課題があった。
【００１４】
また、接点付取付基板１を挟んで片側に回転操作部品部である回転型エンコーダ部２が垂直動可能に取り付けられ、反対側に押圧操作部品部であるプッシュスイッチ部３が配置されているため、円形の操作つまみ１２によりプッシュスイッチ部３を押圧操作する場合に、接点付取付基板１のガイドレール部４にこじり力が働いて操作感にバラツキが生じ易いという課題があり、さらに回転型エンコーダ部２で発生した電気信号を伝えるために、スライド接点体９の弾性接点脚１１と接点付取付基板１の接点板８を経由するため弾性接点および摺動接触部が多く、組み立てが難しいと共にコスト高であるという課題もあった。
【００１５】
本発明は、このような従来の課題を解決するものであり、回転操作部品部および円形の操作つまみの径を小さくできて、使用機器のケースの高さ寸法を小さくできると共に、押圧操作がスムーズで、構成部品数が少なく、組み立て時に接点部等に損傷を与えることが少ない安価な押圧・回転操作型電子部品を提供することを目的とするものである。
【００１６】
【課題を解決するための手段】
上記目的を達成するために本発明の押圧・回転操作型電子部品は、支持軸を備えた辺を有する四角形の枠体と、この枠体の対向する二辺により支持軸と平行に回転可能なように保持された段付円柱形状で、中央大径部が外周面を操作される円柱形のつまみ部となり、その側部の小径の円形軸部の外周面に可動接点が設けられた回転体と、枠体の支持軸を回動可能に支持する支持部を有する絶縁材料製の基体部と、この基体部に保持されて可動接点に弾接触する弾性固定接点からなる回転操作部品部と、枠体の支持軸を備えた辺と対向する辺に対応して基体部に配設され、支持軸を支点とする枠体の回動により押圧されて動作する自力復帰型の押圧操作部品部とを備え、枠体は、一辺に支持軸を備えた対向する二辺が回転体の保持部を有する辺で連結されたコの字形体の開口部を、回転体の保持部を有する辺で塞いで形成されるとともに、少なくとも一方の保持部を有する辺の外方に、可動接点およびこれに弾接触する弾性固定接点の周囲を覆うカバーが一体に形成されたものである。
【００１７】
これにより、回転操作部品部の電気信号を発生する可動接点の径を小さくすることができ、したがって円形の操作つまみの径および使用機器の高さ寸法を小さくできると共に、押圧操作部品部の操作がスムーズで、しかも構成部品数が少なくて組み立て易く、組み立て時に接点部等に損傷を与えることが少ない安価な押圧・回転操作型電子部品を得ることができる。
【００１８】
【発明の実施の形態】
本発明の請求項１に記載の発明は、支持軸を備えた辺を有する四角形の枠体と、この枠体の対向する二辺により支持軸と平行に回転可能なように保持された段付円柱形状で、中央大径部が外周面を操作される円柱形のつまみ部となり、その側部の小径の円形軸部の外周面に可動接点が設けられた回転体と、枠体の支持軸を回動可能に支持する支持部を有する絶縁材料製の基体部と、この基体部に保持されて可動接点に弾接触する弾性固定接点からなる回転操作部品部と、枠体の支持軸を備えた辺と対向する辺に対応して基体部に配設され、支持軸を支点とする枠体の回動により押圧されて動作する自力復帰型の押圧操作部品部とを備え、枠体は、一辺に支持軸を備えた対向する二辺が回転体の保持部を有する辺で連結されたコの字形体の開口部を、回転体の保持部を有する辺で塞いで形成されるとともに、少なくとも一方の保持部を有する辺の外方に、可動接点およびこれに弾接触する弾性固定接点の周囲を覆うカバーが一体に形成されている押圧・回転操作型電子部品としたものであり、回転操作部品部の電気信号を発生する可動接点の径を小さくすることができ、したがって円形の操作つまみの径および使用機器の高さ寸法を小さくできると共に、押圧操作部品部の操作がスムーズで、しかも構成部品数が少なくて組み立て易く、組み立て時に接点部等に損傷を与えることが少ない安価な押圧・回転操作型電子部品を実現することができるという作用を有する。
【００１９】
請求項２に記載の発明は、請求項１記載の発明において、四角形の枠体の支持軸を備えた辺と対向する辺の端部の突起が基体部に設けられた規制孔に係合して、支持軸を支点とする枠体の回動角度範囲を規制するようにしたものであり、請求項１に記載の発明による作用に加えて、枠体の回動角度を高精度に規制することができるという作用を有する。
【００２０】
請求項３に記載の発明は、請求項１に記載の発明において、回転体を、大径中空円筒状のつまみ部と中央部を除く側部の外周面に可動接点を設けた小径の円形軸部に分割し、上記つまみ部を樹脂形成してその中央孔に上記円形軸部を挿入結合する構成としたものであり、外周面を操作される大径のつまみ部と外周面に可動接点を有する小径の軸部からなる回転体を高精度で安価に形成できると共に、つまみ部の外径・形状や色の変更、電気信号の違いによる可動接点の変更等に対しても容易に対応できるという作用を有する。
【００２１】
請求項４に記載の発明は、請求項１に記載の発明において、回転体の円形軸部の外周にリング状可動接点およびこれと導通した導電部と絶縁部が所定の角度ピッチで交互に配設された櫛歯状可動接点を設け、基体部にそれぞれの可動接点に弾接触する複数個の弾性固定接点を配設して、回転操作部品部を回転型エンコーダとし、自力復帰型の押圧操作部品部を自力復帰型のプッシュスイッチとしたものであり、近年のコンピュータ周辺機器や通信端末機器等に多用されているデジタル回路に信号を直接入力することができ、機器制御を簡素化できる小型で安価な電子部品を実現することができるという作用を有する。
【００２２】
請求項５に記載の発明は、請求項４に記載の発明において、自力復帰型のプッシュスイッチが、基体部の所定位置に設けられたスイッチ固定接点上に弾性金属薄板製の円形ドーム状可動接点を配設したものであり、請求項６に記載の発明による作用に加えて、自力復帰型で動作時に節度感を有する高性能のプッシュスイッチを、コンパクトでしかも他の構成部材と高い位置精度に備えることができるという作用を有する。
【００２３】
請求項６に記載の発明は、請求項１に記載の発明において、回転体のつまみ部側部の円形軸部の外周面に、中心軸線と平行に所定の角度ピッチで凹溝を設けたリング状凹凸部に対し、基体部から伸ばされた弾性脚部先端のダボが弾接する節度機構を設けたものであり、回転操作部品部の操作時に節度感を伴った快適で安定した操作ができると共に、押圧操作部品部の操作時に回転体が回り、回転操作部品部が誤動作することを防止できるという作用を有する。
【００２４】
請求項７に記載の発明は、請求項６に記載の発明において、基体部に保持され、回転体の可動接点に弾接触する弾性固定接点およびリング状凹凸部に弾接する弾性脚部が、いずれも回転体を基体部から離す方向に付勢するようにしたものであり、請求項８に記載の発明による作用に加えて、押圧操作部品部の自己復帰力と共に、弾性固定接点および弾性脚部が枠体および回転体を押し上げるので、通常状態における枠体および回転体の位置が安定すると共に、回転操作部品部の操作時に押圧操作部品部が誤動作することを防止できるという作用を有する。
【００２５】
請求項８に記載の発明は、請求項１に記載の発明において、回転体のつまみ部と円形軸部との段部端面または円形軸部に設けた段差部の端面と、枠体の前記端面に対向する面の、いずれか一方を所定の角度ピッチで放射状に凹溝を設けた円形凹凸面とし、他方にこの凹凸面に弾接する弾性ダボを有するばね体を配する節度機構を設けたものであり、回転体の円形軸部を短くすることができるので、幅寸法の小さい押圧・回転操作型電子部品とすることができて、しかも請求項８に記載の発明と同様の作用を有する。
【００２６】
請求項９に記載の発明は、請求項４に記載の発明において、基体部に保持された二つの弾性固定接点が回転体の櫛歯状可動接点に弾接触し、その弾接触位置が所定寸法だけずれているものであり、二つの弾性固定接点それぞれと可動接点とにより発生する電気信号の間に生じる位相差により、つまみ部による回転体の回転方向および回転角度を使用機器の回路で検知することができるという作用を有する。
【００２７】
請求項１０に記載の発明は、請求項９に記載の発明において、回転体のつまみ部側部の、一方の円形軸部の外周面にリング状凹凸部およびリング状可動接点を設けて、基体部に保持された弾性脚部先端のダボおよび弾性固定接点をそれぞれ弾接および弾接触させ、他方の円形軸部の外周面に櫛歯状可動接点を設けて、基体部に保持された二つの弾性固定接点を弾接触させるようにしたものであり、請求項１１に記載の発明による作用に加えて、つまみ部による回転体の回転方向および回転角度を使用機器の回路で検知することができる押圧・回転操作型電子部品を左右対称で小さな幅寸法に形成できるという作用を有する。
【００２８】
請求項１１に記載の発明は、請求項６に記載の発明において、回転体のリング状凹凸部または円形凹凸面に設ける凹溝のピッチを回転体の櫛歯状可動接点の導電部および絶縁部を配設するピッチと同じにして、基体部から伸ばされた弾性脚部先端のダボが上記リング状凹凸部または円形凹凸面の凹部内にはまり込んだ時に、上記櫛歯状可動接点に対する弾性固定接点の弾接触位置が上記絶縁部にあるようにしたものであり、通常状態において回転操作部品部の接点間は非導通状態であるので、使用機器の回路における信号処理が容易で、消費電力を少なくすることができると共に、押圧操作部品部の操作時に回転操作部品部が誤動作することをより確実に防止できるという作用を有する。
【００２９】
請求項１２に記載の発明は、請求項４に記載の発明において、基体部に保持された複数個の弾性固定接点のうち、少なくとも回転体の櫛歯状可動接点に弾接触する弾性固定接点が回転体の中心軸線よりも枠体の支持軸側の位置から伸ばされ、その弾接触位置が支持軸を中心とする枠体の回動時における回転体の中心軸の回動円上にあるようにしたものであり、押圧操作部品部の操作時に、弾性固定接点が櫛歯状可動接点に弾接触している位置の変動が少なく、回転操作部品部が誤動作することを少なくできるという作用を有する。
【００３０】
請求項１３に記載の発明は、請求項１〜１２のいずれか一つに記載の発明において、基体部の下面を平板状とし、回転操作部品部の弾性固定接点および押圧操作部品部とそれぞれ導通した複数個の弾性押圧接続端子を上記基体部の下面よりも突出して配設したものであり、押圧・回転操作型電子部品を使用機器の配線基板に押し付けて固定するだけで各接続端子を接続することができるので、半田付け接続時の熱による変形や、半田フラックスによるつまみ部の汚れ等のロスが発生せず、また基体部等に耐熱性の樹脂を使用しなくてもよいので安価にすることができる等の作用を有する。
【００３１】
以下、本発明の実施の形態における押圧・回転操作型電子部品について、近年のコンピュータ周辺機器や通信端末機器等に多用されているプッシュスイッチ付回転型エンコーダを例として、図面を用いて説明する。
【００３２】
（実施の形態１）
図１は本発明の第１の実施の形態によるプッシュスイッチ付回転型エンコーダの外観斜視図、図２は同要部断面の正面図、図３は同分解斜視図である。
【００３３】
同図に示すように、このプッシュスイッチ付回転型エンコーダは、絶縁樹脂製の基体部３１の対向支持部３２により回動可能に支持された四角形の枠体３３に回転可能に保持された回転体３４の中央を大径円柱形のつまみ部３５とし、その側部の小径の円形軸部３６Ａおよび３６Ｂの外周面に可動接点３７およびリング状凹凸部３８を配設し、可動接点３７には基体部３１に保持された三つの弾性固定接点３９Ａ，３９Ｂ，３９Ｃを弾接触させ、リング状凹凸部３８には基体部３１から伸ばされた弾性脚部４０のダボ４０Ａを弾接させて回転操作部品部としての回転型エンコーダ部を構成すると共に、枠体３３の回動により押圧されて動作する自力復帰型の押圧操作部品部としてのプッシュスイッチ部４１を基体部３１に配設したものであり、小型で安価な構成となっている。
【００３４】
なお、４２は、可動接点３７および弾性固定接点３９Ａ，３９Ｂ，３９Ｃ等の周囲を覆って防塵化を図り、接点部等の信頼性を高めるためのカバーである。
【００３５】
そして、四角形の枠体３３は、図３に示すように、支持軸４３を備えた辺４４Ａとこれに対向する辺４４Ｂおよびこれらと直交するように連結された対向する二辺４５Ａ，４５Ｂからなり、辺４４Ａの支持軸４３を基体部３１の対向支持部３２の支持孔３２Ａに圧挿入されて回動可能に支持されると共に、これに対向する辺４４Ｂ両端の突起４６Ａ，４６Ｂを、基体部３１の反対側に対向して設けられた規制孔４７Ａ，４７Ｂに挿入されて、その回動角度範囲を高精度に規制されている。
【００３６】
また、上記の二辺４５Ａ，４５Ｂそれぞれの中央に設けられた上方が細幅開口部となったＵ字形の保持孔４８Ａ，４８Ｂに、段付円柱形状の回転体３４の円形軸部３６Ａ，３６Ｂを上方から圧挿入されて、回転可能に保持するようになっている。
【００３７】
そして、この回転体３４は、図２に示すように、大径中空円筒状の樹脂製つまみ部３５の中央孔３５Ａ内に可動接点３７を有する小径の円形軸部３６を挿入結合させたものであり、その形成過程を図４に基づいて説明する。
【００３８】
まず、同図（ａ）の外観斜視図に示すように、金属棒をヘッダー加工して、ほぼ一様な細径円形軸の外周の両端部が同じ角度ピッチのリング状凹凸部３８および４８となり、略中間に非円形の鍔部４９が突出した金属円形軸５０を形成し、次に、同図（ｂ）の外観斜視図に示すように、一方のリング状凹凸部４８側の端部を所定の絶縁樹脂によりアウトサート成形加工して凹部を絶縁樹脂で埋めることによって、円形のリング状可動接点３７Ａとこれに導通した導電部および絶縁部が円周上に所定の角度ピッチで交互に配設された櫛歯状可動接点３７Ｂを備えた円形軸部３６とする。
【００３９】
なお、この絶縁部を形成する樹脂は、金属円形軸５０のリング状凹凸部４８側の中心孔を含む端面全体を円板状に覆うことにより、全体として強固にリング状凹凸部４８と結合して櫛歯状可動接点３７Ｂを構成している。
【００４０】
この後、以上のようにして形成された円形軸部３６を、同図（ｃ）の外観斜視図に示すように、別途に樹脂形成された大径中空円筒状のつまみ部３５の中央孔３５Ａ内に挿入結合させるものであるが、この時、円形軸部３６の非円形の鍔部４９をつまみ部３５の中央孔３５Ａの非円形大径部に係合させることによって、両者は共回りするように結合され、同図（ｄ）の正面断面図に示すような、段付円柱形状の回転体として完成する。
【００４１】
このように、回転体３４を大径中空円筒状のつまみ部３５と外周面に可動接点３７等を有する円形軸部３６に分けて形成することにより、回転体３４を高精度で安価に形成できると共に、つまみ部の外径・形状や色の変更、電気信号の違いによる可動接点の変更等に対しても容易に対応できるものである。
【００４２】
以上のようにして形成された回転体３４は、上述のように、枠体３３の対向する二辺４５Ａ，４５Ｂにより回転可能に保持されているが、その円形軸部３６Ａに配設されたコモン接点としてのリング状可動接点３７Ａおよび信号用接点としての櫛歯状可動接点３７Ｂには、図２のＰ−Ｐ線における断面図である図５に示すように、基体部３１に保持された三つの弾性固定接点３９Ａ，３９Ｂ，３９Ｃが弾接触して回転型エンコーダ部の電気信号発生用の接点部を構成しており、コモン接点用の弾性固定接点３９Ａはリング状可動接点３７Ａに下方から弾接触し、信号接点用の二つの弾性固定接点３９Ｂ，３９Ｃはいずれも櫛歯状可動接点３７Ｂに下方から弾接触しているが、信号用の二つの弾接触位置は所定寸法だけ僅かにずらされている。
【００４３】
そして、三つの弾性固定接点３９Ａ，３９Ｂ，３９Ｃのそれぞれと連結して一体の弾性金属薄板で形成された、弾性を有する三つの接続端子３９Ｄ，３９Ｅ，３９Ｆが回転型エンコーダ部の電気信号導出用の端子として基体部３１の端部の所定位置から導出され、各導出部から反転して、基体部３１の平板状の下面に設けられた浅い窪み状の収容部３１Ａ内に向けて折り曲げられ、各接続端子３９Ｄ，３９Ｅ，３９Ｆの先端は基体部３１の下面よりも下方に突出している。
【００４４】
また、回転体３４の円形軸部３６Ｂに配設されたリング状凹凸部３８には、図２のＱ−Ｑ線における断面図である図６に示すように、基体部３１から伸ばされた弾性脚部４０のダボ４０Ａが下方から弾接しているが、ダボ４０Ａがリング状凹凸部３８の凹部内にはまり込んだ位置において、上記可動接点３７の櫛歯状可動接点３７Ｂに弾接触している二つの弾性固定接点３９Ｂ，３９Ｃは絶縁部の位置に接触しており、可動接点３７と弾性固定接点３９Ｂ，３９Ｃは非導通状態にあるように設定されている。
【００４５】
そして、以上のように三つの弾性固定接点３９Ａ，３９Ｂ，３９Ｃおよび弾性脚部４０が回転体３４の円形軸部３６Ａおよび３６Ｂに下方から弾接することによって、回転体３４およびこれを保持する枠体３３は、通常状態において、その回動角度範囲の上方の終端位置にあるように付勢されて安定した状態にある。
【００４６】
なお、これらの可動接点３７と弾性固定接点３９Ａ，３９Ｂ，３９Ｃおよびリング状凹凸部３８と弾性脚部４０の周囲は、基体部３１のカシメダボ３１Ｃによりつまみ部３５の両側に取り付けられた防塵用のカバー４２で覆われている。
【００４７】
一方、枠体３３の辺４４Ｂに対応して基体部３１に配設されたプッシュスイッチ部４１は、図２のＲ−Ｒ線における断面図である図７に示すように、基体部３１に設けられた円形凹部５１内にインサート成形固定されたスイッチ固定接点５２のうちの外側固定接点５２Ａに弾性金属薄板製の円形ドーム状可動接点５３の外周部を載せ、通常状態において、その中央部が所定の接点ギャップをあけて中央固定接点５２Ｂに対向してスイッチＯＦＦとなるように構成されたものであり、その上部を塞ぐ可撓性の絶縁フィルム５４を介して、枠体３３の辺４４Ｂ下面の押圧用突部４４Ｃが対峙している。
【００４８】
このような構成とすることにより、自力復帰型で動作時に節度感を有する高性能のプッシュスイッチ部４１を、コンパクトでしかも他の構成部材と高い位置精度に備えることができるものである。
【００４９】
なお、プッシュスイッチ部４１の固定接点５２（５２Ａ，５２Ｂ）のそれぞれと連結して一体の弾性金属薄板で形成された、弾性を有する二つのスイッチ接続端子５２Ｃ，５２Ｄがプッシュスイッチ部４１の電気信号導出用の端子として基体部３１の端部の所定の位置から導出され、各導出部から反転して、基体部３１の平板状の下面に設けられた浅い窪み状の収容部３１Ｂ内に向けて折り曲げられ、各スイッチ接続端子５２Ｃ，５２Ｄの先端が基体部３１の下面よりも下方に突出していることは、回転型エンコーダ部の接続端子３９Ｄ，３９Ｅ，３９Ｆと同様である。
【００５０】
そして、基体部３１の平板状の下面の両端には、このプッシュスイッチ付回転型エンコーダを機器の配線基板に装着するための脚部５５が設けられている。
【００５１】
本実施の形態のプッシュスイッチ付回転型エンコーダは、以上のように構成されるものであり、使用機器に装着される場合には、図８の部分断面の正面図および図８のＳ−Ｓ線における断面図である図９に示すように、基体部３１下面の脚部５５を機器の配線基板５６の取付孔５６Ａに挿入することによって、配線基板５６に対して位置決めされ、基体部３１の下面に突出した弾性を有する回転型エンコーダ部の接続端子３９Ｄ，３９Ｅ，３９Ｆおよびプッシュスイッチ部４１のスイッチ接続端子５２Ｃ，５２Ｄ（図７参照）が配線基板５６上の各被接続接点５７および５８（図示せず）にそれぞれ弾接触する。
【００５２】
そして、機器の上ケース５９Ａと下ケース５９Ｂを組み合せることにより、上ケース５９Ａに設けた押圧リブ５９Ｃで、下ケース５９Ｂに保持された配線基板５６上の本プッシュスイッチ付回転型エンコーダの基体部３１の上面を下ケース５９Ｂ側に押し付けることによって、本プッシュスイッチ付回転型エンコーダは固定されると共に、その接続端子３９Ｄ，３９Ｅ，３９Ｆおよびスイッチ接続端子５２Ｃ，５２Ｄは、各被接続接点５７および５８に対して確実に弾性押圧接続されるものであり、この状態において、回転体３４のつまみ部３５の外周３５Ａが操作部として、上ケース５９Ａの操作面６０から突出している。
【００５３】
このように、本実施の形態のプッシュスイッチ付回転型エンコーダは、使用機器の配線基板５６に押し付けて固定するだけで各接続端子３９Ｄ，３９Ｅ，３９Ｆおよびスイッチ接続端子５２Ｃ，５２Ｄを接続することができるので、半田付け接続時の熱による変形や、半田フラックスによるつまみ部の汚れ等のロスが発生せず、また基体部３１等に耐熱性の樹脂を使用しなくてもよいので安価にすることができるものである。
【００５４】
次に、以上のように構成された本実施の形態のプッシュスイッチ付回転型エンコーダの動作について説明する。
【００５５】
まず、本実施の形態のプッシュスイッチ付回転型エンコーダを使用機器に装着した状態を示す図８および図９において、機器の上ケース５９Ａ上面の操作面６０から突出した回転体３４のつまみ部３５の外周部３５Ａに接線方向（図９に示す矢印Ｈ方向）の力を加えて回転させることによって、その側部の円形軸部３６Ａおよび３６Ｂが回転し、回転型エンコーダ部が動作する。
【００５６】
すなわち、円形軸部３６Ａの外周面に配設されたリング状可動接点３７Ａと櫛歯状可動接点３７Ｂ上を基体部３１に保持された三つの弾性固定接点３９Ａおよび３９Ｂ，３９Ｃが弾接触しながら摺動して、各々の弾性固定接点３９Ａおよび３９Ｂ，３９Ｃに導通した接続端子３９Ｄおよび３９Ｅ，３９Ｆの３９Ｄ−３９Ｅ間および３９Ｄ−３９Ｆ間にそれぞれ電気信号（パルス信号）を発生し、その信号が配線基板５６上の被接続接点５７を経て機器の回路に伝達されると共に、円形軸部３６Ｂの外周面に配設されたリング状凹凸部３８に対して、基体部３１から伸ばされた弾性脚部４０のダボ４０Ａが弾接摺動して電気信号に合わせた節度感を発生し、つまみ部３５すなわち回転体３４の回転が止まると、リング状凹凸部３８の凹部内にはまり込んで停止する。
【００５７】
この時、櫛歯状可動接点３７Ｂに接触する弾性固定接点３９Ｂと３９Ｃの位置ずれにより接続端子３９Ｄ−３９Ｅ間に発生する電気信号と３９Ｄ−３９Ｆ間に発生する電気信号の間に生じる位相差によって、回転体３４すなわちつまみ部３５の回転方向および回転角度を使用機器の回路で検知することができる。
【００５８】
そして、二つの弾性固定接点３９Ｂ，３９Ｃは櫛歯状可動接点３７Ｂの絶縁部から動き始めて、再び新しい絶縁部の位置で停止するので、この回転型エンコーダ部は回転操作時以外は電力を消費しないものである。
【００５９】
なお、このつまみ部３５の通常の回転操作時に、プッシュスイッチ部４１の押圧用突部４４Ｃを備えた枠体３３の辺４４Ｂは、枠体３３に保持された回転体３４が三つの弾性固定接点３９Ａ，３９Ｂ，３９Ｃおよび弾性脚部４０によって上方に付勢されているので下方には動かず、また、回転操作時につまみ部３５に下方への押し力が加わって、上記の弾性固定接点３９Ａ，３９Ｂ，３９Ｃおよび弾性脚部４０が多少押し撓められて枠体３３が少し回動し、押圧用突部４４Ｃを備えた辺４４Ｂが下がっても、プッシュスイッチ部４１は自力復帰型であって、動作し難いように設定されている。
【００６０】
次に、図８のＴ−Ｔ線における断面図である図１０の矢印Ｈで示すように、枠体３３に保持された回転体３４を上方に付勢している三つの弾性固定接点３９Ａ，３９Ｂ，３９Ｃと弾性接点脚４０（図１０には示さず）の力およびプッシュスイッチ部４１自身の復帰力に逆らって、つまみ部３５の外周部３５Ａに下方への押し力を加えると、枠体３３は基体部３１に支持された支持軸４３を中心として回動して、辺４４Ｂ下面の押圧用突部４４Ｃが下がり、プッシュスイッチ部４１が動作する。
【００６１】
すなわち、可撓性の絶縁フィルム５４を介して、押圧用突部４４Ｃが円形ドーム状可動接点５３の上面中央部を下方に強く押すことによって、図１０に示すように、円形ドーム状可動接点５３は節度感を伴って弾性反転し、その中央部下面が中央固定接点５２Ｂに接触することにより、スイッチ固定接点５２の外側固定接点５２Ａと中央固定接点５２Ｂの間すなわちスイッチ接続端子５２Ｃと５２Ｄ（図１０には示さず）の間が短絡してスイッチＯＮとなって、その信号は配線基板５６上の被接続接点５８を経て機器の回路に伝達される。
【００６２】
この後、つまみ部３５に加えていた押し力を除くと、スイッチ部４１の円形ドーム状可動接点５３が弾性復元力によって元の形状に復帰して、スイッチ接続端子５２Ｃと５２Ｄの間は再びスイッチＯＦＦとなり、押圧用突部４４Ｃを備えた辺４４Ｂが上方に押し上げられると共に、枠体３３は三つの弾性固定接点３９Ａ，３９Ｂ，３９Ｃと弾性脚部４０の力によっても押し上げられて、元の回動角度範囲の上方の終端位置に戻る。
【００６３】
なお、このプッシュスイッチ部４１の押圧操作は、四角形の一つの辺４４Ａが備える支持軸４３を中心として枠体３３を回動させて、押圧用突部４４Ｃを押し下げるものであるから、こじり力が働くことがなく、つまみ部３５の押し位置に拘わらずスムーズに操作することができるものである。
【００６４】
また、枠体３３に保持された回転体３４の円形軸部３６Ｂに配設されたリング状凹凸部３８の凹部には、弾接する弾性脚部４０のダボ４０Ａがはまり込んでいる（図６参照）ために、このつまみ部３５に押し力を加えて枠体３３を回動させ、プッシュスイッチ部４１を動作させる時に、回転体３４は回転せず、したがってエンコーダ部は回転動作しない。
【００６５】
しかも、この弾性脚部４０のダボ４０Ａが回転体３４のリング状凹凸部３８の凹部にはまり込んだ位置において、可動接点３７の櫛歯状可動接点３７Ｂに弾接触している二つの弾性固定接点３９Ｂ，３９Ｃは櫛歯状可動接点３７Ｂの絶縁部に接触しているため、エンコーダ部として誤信号を発することもない。
【００６６】
さらに、この回転体３４の櫛歯状可動接点３７Ｂに二つの弾性固定接点３９Ｂ，３９Ｃが弾接触する位置を、支持軸４３を中心とする枠体３３の回動時における回転体３４の中心軸の回動円上にあるように設定しておけば、枠体３３を回動させてプッシュスイッチ部４１を動作させる時の、二つの弾性固定接点３９Ｂ，３９Ｃの弾接触位置の変動を最も少なくすることができるものである。
【００６７】
以上のように本実施の形態によれば、回転操作部品部としての回転型エンコーダ部の電気信号を発生する可動接点３７の径を小さくすることができ、したがって円形のつまみ部３５の径および使用機器の高さ寸法を小さくできると共に、押圧操作部品部としてのプッシュスイッチ部４１の操作がスムーズで、しかも構成部品数が少なくて組み立て易く、安価な押圧・回転操作型電子部品を実現できるものである。
【００６８】
（実施の形態２）
図１１は本発明の第２の実施の形態によるプッシュスイッチ付回転型エンコーダの要部断面の正面図、図１２は同分解斜視図である。
【００６９】
本実施の形態によるプッシュスイッチ付回転型エンコーダは、上記実施の形態１によるプッシュスイッチ付回転型エンコーダに対して、つまみ部を有する回転体の円形軸部に配設する可動接点およびリング状凹凸部の配列位置、および回転体を回転可能に保持する枠体と側部のカバーの構成方法を変更したものであり、これ以外の構成は上記実施の形態１によるプッシュスイッチ付回転型エンコーダと同じであるため、同一部分には同一符号を付与して説明を省略し、異なる点について詳細に説明する。
【００７０】
すなわち、図１１、図１２に示す本実施の形態によるプッシュスイッチ付回転型エンコーダにおいて、絶縁樹脂製の基体部６１の対向支持部６２に回動可能に支持された四角形の枠体６３に回転可能に保持された回転体６４の中央を大径円柱形のつまみ部３５とし、その側部の小径の円形軸部６５Ａおよび６５Ｂの外周面に可動接点６６およびリング状凹凸部６７を配設して、可動接点６６には基体部６１に保持された三つの弾性固定接点６８Ａ，６８Ｂ，６８Ｃを弾接触させ、リング状凹凸部６７には基体部６１から伸ばされた弾性脚部４０のダボ４０Ａを弾接させて回転型エンコーダ部を構成すると共に、枠体６３の回動により押されて動作する自力復帰型のプッシュスイッチ部４１を配設し、さらに、つまみ部３５の両側に防塵用のカバー６９，７０が取り付けられていることは、実施の形態１の場合と同じである。
【００７１】
しかし、回転体６４のつまみ部３５の一方の側部の円形軸部６５Ａには可動接点６６の櫛歯状可動接点６６Ｂのみが配設され、他方の側部の円形軸部６５Ｂにはリング状可動接点６６Ａとリング状凹凸部６７が配設されており、この配列位置に対応して、基体部６１の一方の側には櫛歯状可動接点６６Ｂに弾接触する信号用の二つの弾性固定接点６８Ｂ，６８Ｃが、他方の側にはリング状可動接点６６Ａに弾接触するコモン用の弾性固定接点６８Ａと共に、リング状凹凸部６７にダボ４０Ａが弾接する弾性脚部４０が配置されて、基体部６１の対向支持部６２の両側にそれぞれ二つずつの弾性脚が突出して設けられている。
【００７２】
なお、この回転体６４のつまみ部３５を挟んで両側に配設された櫛歯状可動接点６６Ｂとリング状可動接点６６Ａは、一体の金属材料で形成されたものであり、互いに導通していることは、実施の形態１の場合と同じである。
【００７３】
そして、このように形成された回転体６４を回転可能に保持する四角形の枠体６３は、図１２に示すように、支持軸７１を備えた辺７２Ａとこれに対向する辺７２Ｂを、回転体６４の保持部としての丸孔７３Ａを有する辺７２Ｃで連結したコの字形体７２の開口部を塞ぐように、回転体６４の保持部としての丸孔７３Ｂを有する辺７４を連結して形成したものであり、保持部としての丸孔７３Ａ，７３Ｂを有する二つの辺７２Ｃと７４の外方には、それぞれ上記の櫛歯状可動接点６６Ｂとこれに弾接触する弾性固定接点６８Ｂ，６８Ｃおよびリング状可動接点６６Ａとこれに弾接触する弾性固定接点６８Ａの周囲を覆う防塵用のカバー６９および７０が一体に設けられると共に、各カバー６９，７０の外方の端部には、基体部６１の端部に対向して設けられた規制孔７５Ａ，７５Ｂに挿入されて枠体６３の回動角度範囲を規制するための突起６９Ａと７０Ａが設けられている。
【００７４】
次に、この四角形の枠体６３の対向する保持部としての丸孔７３Ａ，７３Ｂを有する二つの辺７２Ｃ，７４が回転体６４を回転可能に保持するように組み合わせる方法は、上記のコの字形体７２とその開口部を塞ぐ辺７４を連結する際に、それぞれの丸孔７３Ａ，７３Ｂに回転体６４の円形軸部６５Ａ，６５Ｂをあらかじめ挿入・嵌合させた後、コの字形体７２の辺７２Ｂ，７２Ｃ先端の二つの突起部７２Ｄを辺７４の二つの小孔７４Ａに挿入して連結するものである。
【００７５】
また、回転体６４の形成方法およびプッシュスイッチ部４１を備えた基体部６１の構成は、いずれも実施の形態１の場合と同様であるので詳細な説明は省略するが、基体部６１に設けられた回転型エンコーダ部の弾性を有する三つの接続端子６８Ｅ，６８Ｆと６８Ｄは、弾性固定接点６８Ｂ，６８Ｃと６８Ａが対向支持部６２の両側に設けられたことにより、対向支持部６２の中間部に配設されている。
【００７６】
なお、基体部６１の弾性固定接点６８Ｂと６８Ａの側方にそれぞれ設けられた壁部７６は、上記のカバー６９，７０と同様に接点部の防塵化を図るためのものである。
【００７７】
さらに、回転体６４の可動接点６６に対して三つの弾性固定接点６８Ａ，６８Ｂ，６８Ｃが弾接触している状態およびプッシュスイッチ部４１の構成は実施の形態１と全く同じである。
【００７８】
そして、本実施の形態によるプッシュスイッチ付回転型エンコーダの使用機器への装着方法および動作も実施の形態１の場合と全く同じであるので、説明を省略する。
【００７９】
本実施の形態によれば、三つの弾性固定接点６８Ａ，６８Ｂ，６８Ｃと弾性脚部４０を、基体部６１の対向支持部６２およびつまみ部３５の両側に二つずつ均等に配設するので、実施の形態１の場合に比較して、プッシュスイッチ付回転型エンコーダを左右対称で小さな幅寸法に形成できると共に、組み立てが容易で、組み立て時に接点部等に損傷を与えることを少なくできるものである。
【００８０】
（実施の形態３）
図１３は本発明の第３の実施の形態による押圧・回転操作型電子部品としてのプッシュスイッチ付回転型エンコーダの要部断面の正面図、図１４は同分解斜視図である。
【００８１】
本実施の形態によるプッシュスイッチ付回転型エンコーダは、上記実施の形態２によるプッシュスイッチ付回転型エンコーダに対して、つまみ部を介して回転体を回転操作する際に電気信号の発生に合わせて節度感を発生する節度機構の構成方法を変更したものであり、これ以外の構成は上記実施の形態２によるプッシュスイッチ付回転型エンコーダと同じであるため、同一部分には同一符号を付与して説明を省略し、異なる点について詳細に説明する。
【００８２】
すなわち、図１３および図１４に示す本実施の形態によるプッシュスイッチ付回転型エンコーダにおいて、絶縁樹脂製の基体部８１の対向支持部８２により回動可能に支持された四角形の枠体８３がコの字形体８４とその開口部を塞ぐ辺８５を連結して構成され、この枠体８３に回転可能に保持された回転体８６の中央を大径円柱形のつまみ部８７とし、その側部の小径の円形軸部８８Ａおよび８８Ｂの外周面に櫛歯状可動接点８９Ｂおよびリング状可動接点８９Ａからなる可動接点８９を配設し、基体部８１に保持された三つの弾性固定接点６８Ｂ，６８Ｃおよび６８Ａを弾接触させて回転型エンコーダ部を構成すると共に、枠体８３の回動により押されて動作する自力復帰型のプッシュスイッチ部４１を配設し、さらに、枠体８３を構成するコの字形体８４と辺８５の外方に防塵用のカバー９０，９１が取り付けられていることは、実施の形態２の場合と同じである。
【００８３】
しかし、回転体８６のつまみ部８７側部の円形軸部８８Ａおよび８８Ｂには、櫛歯状可動接点８９Ｂおよびリング状可動接点８９Ａからなる可動接点８９のみが配設されており、これに対応して、櫛歯状可動接点８９Ｂに弾接触する二つの弾性固定接点６８Ｂ，６８Ｃおよびリング状可動接点８９Ａに弾接触する弾性固定接点６８Ａが、基体部８１の対向支持部８２の両側にそれぞれ突出して設けられている。
【００８４】
そして、回転体８６のつまみ部８７と一方の円形軸部８８Ｂとの段部端面９２には、弾性金属薄板製のリング状のばね体９３が装着され、また、回転体を回転可能に保持する四角形の枠体８３の辺９５のばね体９３と対向する面は、回転体８６の櫛歯状可動接点８９Ｂの絶縁部と同角度ピッチで放射状に凹溝を設けた円形凹凸面９４となっており、上記のばね体９３から側方へ突出した弾性ダボ９３Ａがこの円形凹凸面９４に弾接して節度機構を構成している。
【００８５】
ここで、リング状ばね体９３の弾性ダボ９３Ａが四角形の枠体８３の辺９５の円形凹凸面９４に弾接するように組み立てる方法は、回転体８６のリング状可動接点８９Ａ側のつまみ部８７の段部端面９２の二つの角孔９２Ａに、リング状ばね体９３の二つの脚部９３Ｂをはめ込むことにより仮取付けした状態で、実施の形態２の場合と同様に、コの字形体８４とその開口部を塞ぐ辺８５を連結する際、コの字形体８４の中央の辺９５と開口部を塞ぐ辺８５それぞれの丸孔９５Ａと８５Ａに、回転体８６の円形軸部８８Ａ，８８Ｂをあらかじめ挿入・嵌合させた後、コの字形体８４の対向する辺８４Ａ，８４Ｂ先端の二つの突起部８４Ｃを辺８５の二つの小孔８５Ｂに挿入し、その先端を熱カシメ等により抜け止めして連結するものである。
【００８６】
そして、本実施の形態によるプッシュスイッチ付回転型エンコーダのその他の部分の構成や使用機器への装着方法および動作は、実施の形態１または２の場合と同じであるので、説明を省略する。
【００８７】
本実施の形態によれば、回転体８６の円形軸部８８Ｂを短くすることができるので、実施の形態２の場合に比較して、プッシュスイッチ付回転型エンコーダの幅寸法をさらに小さく形成できるものである。
【００８８】
なお、上記の説明では、節度機構の構成を、回転体８６のつまみ部８７と円形軸部８８Ｂとの段部端面９２にばね体９３を装着し、これに対向する枠体８３の辺９５の面を円形凹凸面９４としたが、この配置を逆にして、回転体８６側に円形凹凸面を設け、枠体８３側にばね体を装着する構成としてもよい。
【００８９】
また、回転体８６の段差部を、つまみ部８７と円形軸部８８Ｂとの段部端面９２としたが、これは円形軸部を部分的に太くして段差面を構成してもよい。
【００９０】
さらに、実施の形態１（２，３）において、回転体３４（６４，８６）のリング状凹凸部３８（６７又は円形凹凸面９４）に設けた凹溝の角度ピッチを、櫛歯状可動接点３７Ｂ（６６Ｂ，８９Ｂ）の絶縁部の角度ピッチの二分の一又は四分の一にして節度機構を構成することにより、回転体３４（６４，８６）の一回転当りの節度数を櫛歯状可動接点３７Ｂ（６６Ｂ，８９Ｂ）の絶縁部の角度ピッチは同一ピッチの場合と比べて、２倍または４倍にして細かい節度感触を得ることができると共に、弾接触位置が僅かにずれた信号接点用の二つの弾性固定接点３９Ｂ，３９Ｃにより、隣接した節度位置でそれぞれ異なる電気信号を出すようにできるため回転体一回転当りの電気信号のカウント数を、それぞれ二倍または四倍にすることもできる。
【００９１】
【発明の効果】
以上のように本発明によれば、回転操作部品部の電気信号を発生する可動接点の径を小さくすることができ、したがって円形の操作つまみの径および使用機器の高さ寸法を小さくできると共に、押圧操作部品部の操作がスムーズで、しかも構成部品数が少なくて組み立て時に接点部等に損傷を与えることが少ない安価な押圧・回転操作型電子部品を実現できるという有利な効果が得られる。
【図面の簡単な説明】
【図１】  本発明の第１の実施の形態による押圧・回転操作型電子部品としてのプッシュスイッチ付回転型エンコーダの外観斜視図
【図２】  同要部断面の正面図
【図３】  同分解斜視図
【図４】  （ａ）〜（ｄ）同回転体の形成過程の説明図
【図５】  図２のＰ−Ｐ線における断面図
【図６】  図２のＱ−Ｑ線における断面図
【図７】  図２のＲ−Ｒ線における断面図
【図８】  同プッシュスイッチ付回転型エンコーダを装着した機器の部分断面の正面図
【図９】  図８のＳ−Ｓ線における断面図
【図１０】  図８のＴ−Ｔ線における断面図
【図１１】  本発明の第２の実施の形態による押圧・回転操作型電子部品としてのプッシュスイッチ付回転型エンコーダの要部断面の正面図
【図１２】  同分解斜視図
【図１３】  本発明の第３の実施の形態による押圧・回転操作型電子部品としてのプッシュスイッチ付回転型エンコーダの要部断面の正面図
【図１４】  同分解斜視図
【図１５】  従来の押圧・回転操作型電子部品としてのプッシュスイッチ付回転型エンコーダの外観斜視図
【図１６】  同側面断面図
【図１７】  同要部である接点付取付基板の外観斜視図
【図１８】  同プッシュスイッチ付回転型エンコーダを装着した機器の部分断面の側面図
【図１９】  同接点部の平面図
【符号の説明】
３１，６１，８１  基体部
３１Ａ，３１Ｂ  収容部
３２，６２，８２  対向支持部
３２Ａ  支持孔
３３，６３，８３  枠体
３４，６４，８６  回転体
３５，８７  つまみ部
３５Ａ  中央孔
３６，３６Ａ，３６Ｂ，６５Ａ，６５Ｂ，８８Ａ，８８Ｂ  円形軸部
３７，６６，８９  可動接点
３７Ａ，６６Ａ，８９Ａ  リング状可動接点
３７Ｂ，６６Ｂ，８９Ｂ  櫛歯状可動接点
３８，４８，６７  リング状凹凸部
３９Ａ，３９Ｂ，３９Ｃ，６８Ａ，６８Ｂ，６８Ｃ  弾性固定接点
３９Ｄ，３９Ｅ，３９Ｆ，６８Ｄ，６８Ｅ，６８Ｆ  接続端子
４０  弾性脚部
４０Ａ  ダボ
４１  プッシュスイッチ部
４２，６９，７０，９０，９１  カバー
４３，７１  支持軸
４４Ａ，４４Ｂ，４５Ａ，４５Ｂ，７２Ａ，７２Ｂ，７２Ｃ，７４，８４Ａ，８４Ｂ，８５，９５  辺
４４Ｃ  押圧用突部
４６Ａ，４６Ｂ，６９Ａ，７０Ａ  突起
４７Ａ，４７Ｂ，７５Ａ，７５Ｂ  規制孔
４８Ａ，４８Ｂ  保持孔
４９  鍔部
５０  金属円形軸
５１  円形凹部
５２  スイッチ固定接点
５２Ａ  外側固定接点
５２Ｂ  中央固定接点
５２Ｃ，５２Ｄ  スイッチ接続端子
５３  円形ドーム状可動接点
５４  絶縁フィルム
５５  脚部
５６  配線基板
５６Ａ  取付孔
５７，５８  被接続接点
５９Ａ  上ケース
５９Ｂ  下ケース
５９Ｃ  押圧リブ
６０  操作面
７２，８４  コの字形体
７３Ａ，７３Ｂ，８５Ａ，９５Ａ  丸孔
７２Ｄ，８４Ｃ  突起部
７４Ａ，８５Ｂ  小孔
７６  壁部
９２  段部端面
９３  ばね体
９３Ａ  弾性ダボ
９４  円形凹凸面
【図１】
0003952642.tif 000002
【図２】
0003952642.tif 000003
【図３】
0003952642.tif 000004
【図４】
0003952642.tif 000005
【図５】
0003952642.tif 000006
【図６】
0003952642.tif 000007
【図７】
0003952642.tif 000008
【図８】
0003952642.tif 000009
【図９】
0003952642.tif 000010
【図１０】
0003952642.tif 000011
【図１１】
0003952642.tif 000012
【図１２】
0003952642.tif 000013
【図１３】
0003952642.tif 000014
【図１４】
0003952642.tif 000015
【図１５】
0003952642.tif 000016
【図１６】
0003952642.tif 000017
【図１７】
0003952642.tif 000018
【図１８】
0003952642.tif 000019
【図１９】
0003952642.tif 000020